(57)【要約】【課題】燃料を流しながら加熱して実際の燃料が酸化劣化を起こす環境条件を再現し得る燃料デポジット単体試験装置を安価なコストで実現する。【解決手段】複数本の起立保持された試験管１と、該各試験管１の中間部を被包して加熱する加熱炉２と、該加熱炉２より下方で前記各試験管１の途中に空気４を混入するエアポンプ３（空気混入装置）と、前記各試験管１の下端部に燃料６を供給し且つ前記各試験管１の上端部から燃料６を回収して循環する燃料循環装置５とを備えて燃料デポジット単体試験装置を構成する。【選択図】図１
2014145702.tif 000002
【特許請求の範囲】
【請求項１】
複数本の起立保持された試験管と、該各試験管の中間部を被包して加熱する加熱炉と、該加熱炉より下方で前記各試験管の途中に空気を混入する空気混入装置と、前記各試験管の下端部に燃料を供給し且つ前記各試験管の上端部から燃料を回収して循環する燃料循環装置とを備えたことを特徴とする燃料デポジット単体試験装置。
【請求項２】
各試験管の上端部からの燃料をまとめて回収する燃料回収タンクと、該燃料回収タンクに回収した燃料を送り出す燃料送給手段と、該燃料送給手段により送り出された燃料を各試験管の下端部に分配する燃料分配管とにより前記燃料循環装置が構成されていることを特徴とする請求項１に記載の燃料デポジット単体試験装置。
【請求項３】
チューブを回転ローラで一定方向に扱くことにより前記チューブ内に液体の流れを生じさせるようにしたペリスタルティックポンプにより燃料送給手段が構成されていることを特徴とする請求項１又は２に記載の燃料デポジット単体試験装置。
【発明の詳細な説明】
【技術分野】
【０００１】
本発明は、燃料デポジット単体試験装置に関するものである。
【背景技術】
【０００２】
エンジンに用いられる燃料は、高温環境下で系内をゆっくりとした速度で流れるうちに酸化劣化してデポジットを生成し、その過度の堆積が自動車のエミッションやドライバビリティに悪影響を及ぼすことが知られており、デポジットの生成を抑制する有効な手段の開発が求められている。
【０００３】
特に近年においては、燃料の多様化が進んでおり、次世代バイオ燃料などの更なる新規燃料の出現も予測されているので、それらの燃料についてデポジットの生成メカニズムを明らかにするための試験の必要性が高まってきている。
【０００４】
現状、このようなデポジットの生成メカニズムについて調べる試験を行うにあたっては、殆どエンジンそのものに近い試験装置を用いて運転状態を模擬しながらデポジットの生成状況を観察したり、或いは、ビーカーなどの容器に燃料を入れてエンジンでの高温環境に対応する温度に加熱しながらデポジットの生成状況を観察したりすることが行われている。
【０００５】
尚、デポジットの生成メカニズムを調べる先行技術文献として既に提案されているものは特に見当たらなかったが、重油がエンジン障害の原因となる煤を発生するかどうかを調べる試験技術（特許文献１）、軽油の熱安定性及び煤の発生量を調べる試験技術（特許文献２）については下記の通りである。
【先行技術文献】
【特許文献】
【０００６】
【特許文献１】特開２００４−２７１４７６号公報
【特許文献２】特開２０００−２３０９２０号公報
【発明の概要】
【発明が解決しようとする課題】
【０００７】
しかしながら、殆どエンジンそのものに近い試験装置を用いて運転状態を模擬しながらデポジットの生成状況を観察する場合には、試験装置の費用が高くついてコストの高騰を招くという問題があり、また、ビーカーなどの容器に燃料を入れてエンジンでの高温環境に対応する温度に加熱しながらデポジットの生成状況を観察する場合には、燃料を流しながら行う試験形態が採れないため、実際の燃料が酸化劣化を起こす環境条件を再現することが難しいという問題があった。
【０００８】
本発明は上述の実情に鑑みてなしたもので、燃料を流しながら加熱して実際の燃料が酸化劣化を起こす環境条件を再現し得る燃料デポジット単体試験装置を安価なコストで実現することを目的とする。
【課題を解決するための手段】
【０００９】
本発明は、複数本の起立保持された試験管と、該各試験管の中間部を被包して加熱する加熱炉と、該加熱炉より下方で前記各試験管の途中に空気を混入する空気混入装置と、前記各試験管の下端部に燃料を供給し且つ前記各試験管の上端部から燃料を回収して循環する燃料循環装置とを備えたことを特徴とする燃料デポジット単体試験装置、に係るものである。
【００１０】
而して、各試験管に対し燃料循環装置により燃料を循環すると共に、空気混入装置により各試験管の途中に空気を混入し、加熱炉により各試験管の中間部を加熱すると、燃料循環装置から各試験管の下端部に供給された燃料が、空気混入装置からの空気と共に前記各試験管を立ち上る間に加熱炉により加熱され、各試験管内に実際の燃料が酸化劣化を起こす環境条件が再現されるので、各試験管にてデポジットの生成状況を観察することが可能となる。
【００１１】
ここで、燃料が高温環境下でゆっくりと流れながら酸化劣化してデポジットを生成する様子を実際に観察できるか否かは、各試験管内でデポジット生成の化学反応がうまく起こるかどうかにかかっており、全ての試験管で必ずデポジットの生成が観察できるとは限らないが、複数本の試験管を用いて同時に試験を実施する形式を採っているので、何れかの試験管でデポジットの生成を観察できる可能性が高く、試験効率が良いというメリットがある。
【００１２】
尚、複数本の試験管、加熱炉、空気混入装置、燃料循環装置といった構成要素は、何れも安価な費用で揃えることができるものであり、殆どエンジンそのものに近い試験装置を用いるような場合と比較してコストの大幅な削減化が図られることになる。
【００１３】
更に、本発明においては、各試験管の上端部からの燃料をまとめて回収する燃料回収タンクと、該燃料回収タンクに回収した燃料を送り出す燃料送給手段と、該燃料送給手段により送り出された燃料を各試験管の下端部に分配する燃料分配管とにより前記燃料循環装置が構成されていることが好ましい。
【００１４】
このようにすれば、燃料回収タンクから燃料送給手段により送り出された燃料が燃料分配管を介し各試験管に分配されるようになっているので、一つの燃料送給手段だけで複数本の試験管に対し燃料を供給することが可能となり、また、各試験管から回収した燃料を燃料回収タンクにまとめて回収するようにしているので、加熱炉における配置位置の違いにより加熱の具合が相違して各試験管の相互で燃料の温度にバラツキが生じていたとしても、該燃料の温度のバラツキを均すことが可能となる。
【００１５】
更に、本発明においては、チューブを回転ローラで一定方向に扱くことにより前記チューブ内に液体の流れを生じさせるようにしたペリスタルティックポンプにより燃料送給手段が構成されていることが好ましく、このようにすれば、無段階の流速調整が可能となり、試験管にてデポジットの生成状況を観察するのに適したゆっくりとした流速で燃料を循環させることが可能となる。
【発明の効果】
【００１６】
上記した本発明の燃料デポジット単体試験装置によれば、下記の如き種々の優れた効果を奏し得る。
【００１７】
（Ｉ）本発明の請求項１に記載の発明によれば、燃料を流しながら加熱して実際の燃料が酸化劣化を起こす環境条件を再現し得る燃料デポジット単体試験装置を安価なコストで実現することができ、しかも、複数本の試験管を用いて同時に試験を実施することができることから試験効率の向上を図ることもできる。
【００１８】
（ＩＩ）本発明の請求項２に記載の発明によれば、一つの燃料送給手段だけで複数本の試験管に対し燃料を供給することができてコストの更なる削減化を図ることができ、しかも、各試験管から回収した燃料を燃料回収タンクにまとめて回収することで温度のバラツキを均すこともできる。
【００１９】
（ＩＩＩ）本発明の請求項３に記載の発明によれば、無段階の流速調整を可能として、試験管にてデポジットの生成状況を観察するのに適したゆっくりとした流速で燃料を循環させることができる。
【図面の簡単な説明】
【００２０】
【図１】本発明を実施する形態の一例を示す概略図である。
【図２】図１のペリスタルティックポンプの原理を説明する概略図である。
【発明を実施するための形態】
【００２１】
以下本発明の実施の形態を図面を参照しつつ説明する。
【００２２】
図１は本発明を実施する形態の一例を示すもので、図中１は複数本の起立保持された試験管、２は該各試験管１の中間部を被包して加熱する加熱炉、３は該加熱炉２より下方で前記各試験管１の途中に空気４を混入するエアポンプ（空気混入装置）、５は前記各試験管１の下端部に燃料６を供給し且つ前記各試験管１の上端部から燃料６を回収して循環する燃料循環装置を夫々示しており、ここに図示している例では、前記燃料循環装置５が、各試験管１の上端部からの燃料６をまとめて回収する燃料回収タンク７と、該燃料回収タンク７に回収した燃料６を送り出すペリスタルティックポンプ８（燃料送給手段）と、該ペリスタルティックポンプ８により送り出された燃料６を各試験管１の下端部に分配する燃料分配管９とにより構成されている。
【００２３】
より具体的に述べると、各試験管１は、保持具１０により下方部分を保持され且つ筒形の加熱炉２の内部を通されて該加熱炉２の上方に突き出しており、その上端部を下方向きに屈曲させて燃料６を滴下させるようにしてあり、その滴下された燃料６は、前記加熱炉２の上部に固定された燃料受け１１により受けられ、前記各試験管１の上端部よりも低い位置に配設された燃料回収タンク７に向け配管１２を通し自重で流下するようにしてある。
【００２４】
この際、加熱炉２で加熱されて高温状態にある燃料６は、試験管１の上端部から滴下する際に大気への放熱により大幅に温度低下し、配管１２への熱負担が少なくなるようになっており、また、デポジットの生成に用いられないまま余剰した空気４は、試験管１の上端部が大気開放されていることで系外へ排出されるようになっている。
【００２５】
更に、各試験管１の下端部近傍には枝管１３が分岐形成され、該枝管１３に対しエアポンプ３が接続されて空気４が供給され、該空気４が燃料６に混入されて一緒に試験管１内を立ち上るようにしてある。
【００２６】
一方、各試験管１の上端部から燃料受け１１及び配管１２を介して燃料回収タンク７に回収された燃料６は、前記燃料回収タンク７の底部から抜き出されて前記ペリスタルティックポンプ８により上方の燃料分配管９に向け配管１４を介して送給されるようになっており、該燃料分配管９に櫛歯状に突設された複数本の分岐管１５に振り分けられて配管１６を介し各試験管１の下端部へと送り出されるようになっている。
【００２７】
ここで、前記各配管１６は、燃料分配管９の分岐管１５よりも相対的に細くなるように形成されており、燃料分配管９の長手方向の一端側から送り込まれる燃料６が偏りなく各配管１６に分配されるようにしてある。
【００２８】
尚、図２に原理を概略的に示す通り、前記ペリスタルティックポンプ８は、チューブ１８を回転ローラ１７で一定方向に扱くことにより前記チューブ１８内に液体（燃料６）の流れを生じさせるようにしたものであり、無段階の流速調整が可能な蠕動式のポンプとして以前より知られているものである。
【００２９】
而して、各試験管１に対し燃料循環装置５により燃料６を循環すると共に、エアポンプ３により各試験管１の途中に空気４を混入し、加熱炉２により各試験管１の中間部を加熱すると、燃料循環装置５から各試験管１の下端部に供給された燃料６が、エアポンプ３からの空気４と共に前記各試験管１を立ち上る間に加熱炉２により加熱され、各試験管１内に実際の燃料６が酸化劣化を起こす環境条件が再現されるので、各試験管１にてデポジットの生成状況を観察することが可能となる。
【００３０】
ここで、燃料６が高温環境下でゆっくりと流れながら酸化劣化してデポジットを生成する様子を実際に観察できるか否かは、各試験管１内でデポジット生成の化学反応がうまく起こるかどうかにかかっており、全ての試験管１で必ずデポジットの生成が観察できるとは限らないが、複数本の試験管１を用いて同時に試験を実施する形式を採っているので、何れかの試験管１でデポジットの生成を観察できる可能性が高く、試験効率が良いというメリットがある。
【００３１】
尚、複数本の試験管１、加熱炉２、エアポンプ３、燃料循環装置５といった構成要素は、何れも安価な費用で揃えることができるものであり、特に本形態例の場合には、燃料回収タンク７からペリスタルティックポンプ８により送り出された燃料６が燃料分配管９を介し各試験管１に分配されるようになっているので、一つのペリスタルティックポンプ８だけで複数本の試験管１に対し燃料６を供給することができ、殆どエンジンそのものに近い試験装置を用いるような場合と比較してコストの大幅な削減化が図られることになる。
【００３２】
また、各試験管１から回収した燃料６を燃料回収タンク７にまとめて回収するようにしているので、加熱炉２における配置位置の違いにより加熱の具合が相違して各試験管１の相互で燃料６の温度にバラツキが生じていたとしても、該燃料６の温度のバラツキを均すことが可能となる。
【００３３】
更に、本形態例においては、燃料循環装置５の燃料送給手段としてペリスタルティックポンプ８を採用しているので、無段階の流速調整が可能となり、試験管１にてデポジットの生成状況を観察するのに適したゆっくりとした流速で燃料６を循環させることが可能となる。
【００３４】
従って、上記形態例によれば、燃料６を流しながら加熱して実際の燃料６が酸化劣化を起こす環境条件を再現し得る燃料デポジット単体試験装置を安価なコストで実現することができ、しかも、複数本の試験管１を用いて同時に試験を実施することができることから試験効率の向上を図ることもできる。
【００３５】
また、特に本形態例においては、一つのペリスタルティックポンプ８だけで複数本の試験管１に対し燃料６を供給することができてコストの更なる削減化を図ることができ、しかも、各試験管１から回収した燃料６を燃料回収タンク７にまとめて回収することで温度のバラツキを均すこともできる。
【００３６】
更に、燃料循環装置５の燃料送給手段としてペリスタルティックポンプ８を採用しているので、無段階の流速調整を可能として、試験管１にてデポジットの生成状況を観察するのに適したゆっくりとした流速で燃料６を循環させることができる。
【００３７】
尚、本発明の燃料デポジット単体試験装置は、上述の形態例にのみ限定されるものではなく、本発明の要旨を逸脱しない範囲内において種々変更を加え得ることは勿論である。
【符号の説明】
【００３８】
１  試験管
２  加熱炉
３  エアポンプ（空気混入装置）
４  空気
５  燃料循環装置
６  燃料
７  燃料回収タンク
８  ペリスタルティックポンプ（燃料送給手段）
９  燃料分配管
１７  回転ローラ
１８  チューブ
【図１】
2014145702.tif 000003
【図２】
2014145702.tif 000004